(57)【要約】【課題】空冷ファンにより半導体素子を速やかに冷却することが可能な調光装置を提供する。【解決手段】調光装置２０は、交流電源に直列に接続され、照明負荷４０に供給する交流電力を位相制御する２個のトランジスタ３２を有する位相制御回路３１と、照明負荷４０に供給される電流量を検出する電流計３５と、照明負荷４０に供給される電流量に基づいて算出された算出素子温度が記憶された記憶部２３と、トランジスタ３２を冷却するための空冷ファン２４と、算出素子温度に基づいて空冷ファン２４の駆動を制御するファン制御部２２とを有する。【選択図】図２
2013243082.tif 000002
【特許請求の範囲】
【請求項１】
交流電源に直列に接続され、負荷に供給する交流電力を位相制御する半導体素子を有する位相制御回路と、
前記負荷に供給される電流を検出する電流検出部と、
前記負荷に供給される電流に基づいて算出された前記半導体素子の温度である算出素子温度が記憶された記憶部と、
前記半導体素子を冷却するための空冷ファンと、
前記算出素子温度に基づいて前記空冷ファンの駆動を制御するファン制御部と
を有する調光装置。
【請求項２】
前記半導体素子の温度を検出する温度検出部を有し、
前記ファン制御部は、前記温度検出部により検出された温度である検出素子温度および前記算出素子温度の比較に基づいて前記空冷ファンの駆動を制御する
請求項１に記載の調光装置。
【請求項３】
前記ファン制御部は、前記半導体素子への交流電力の供給が開始されたときから所定期間にわたり前記検出素子温度および前記算出素子温度の比較に基づいて前記空冷ファンの駆動を制御する
請求項２に記載の調光装置。
【請求項４】
前記半導体素子を冷却するための放熱フィンを有する
請求項１〜３のいずれか一項に記載の調光装置。
【発明の詳細な説明】
【技術分野】
【０００１】
本発明は、調光器およびこの調光器を冷却するための空冷ファンを有する調光装置に関する。
【背景技術】
【０００２】
上記調光装置として、例えば特許文献１の調光装置が知られている。この調光装置は、温度検出部により検出された調光器の温度が所定温度以上のとき、この調光器に対応した空冷ファンを駆動させることにより調光器を冷却する。調光装置は、温度検出部が調光器のケーシングに取り付けられる構成を有する。
【先行技術文献】
【特許文献】
【０００３】
【特許文献１】特開平８−３０６２２５号公報
【発明の概要】
【発明が解決しようとする課題】
【０００４】
特許文献１の調光装置においては、温度検出部が調光器のケーシングの温度を検出するため、調光器内の半導体素子の温度を直接的に検出しない。このため、半導体素子の温度がケーシングの温度よりも高くなる場合、空冷ファンにより半導体素子を冷却することが遅れるため、半導体素子の温度が高い状態が維持されてしまう。
【０００５】
本発明は、上記課題を解決するため、空冷ファンにより半導体素子を速やかに冷却することが可能な調光装置を提供することを目的とする。
【課題を解決するための手段】
【０００６】
・本発明の調光装置は、交流電源に直列に接続され、負荷に供給する交流電力を位相制御する半導体素子を有する位相制御回路と、前記負荷に供給される電流を検出する電流検出部と、前記負荷に供給される電流に基づいて算出された前記半導体素子の温度である算出素子温度が記憶された記憶部と、前記半導体素子を冷却するための空冷ファンと、前記算出素子温度に基づいて前記空冷ファンの駆動を制御するファン制御部とを有することを特徴とする。
【０００７】
・上記調光装置において、前記半導体素子の温度を検出する温度検出部を有し、前記ファン制御部は、前記温度検出部により検出された温度である検出素子温度および前記算出素子温度の比較に基づいて前記空冷ファンの駆動を制御することが好ましい。
【０００８】
・上記調光装置において、前記ファン制御部は、前記半導体素子への交流電力の供給が開始されたときから所定期間にわたり前記検出素子温度および前記算出素子温度の比較に基づいて前記空冷ファンの駆動を制御することが好ましい。
【０００９】
・上記調光装置において、前記半導体素子を冷却するための放熱フィンを有することが好ましい。
【発明の効果】
【００１０】
本発明は、空冷ファンにより半導体素子を速やかに冷却することが可能な調光装置を提供する。
【図面の簡単な説明】
【００１１】
【図１】本発明の実施形態の調光装置について、同装置を有する照明装置の構成を示すブロック図。
【図２】実施形態の調光装置について、同装置の構成を示すブロック図。
【図３】実施形態の調光装置について、同装置の回路構成を示す回路図。
【図４】実施形態の調光装置について、トランジスタおよびその周辺の構成の断面構造を示す断面図。
【図５】実施形態の調光装置について、電源電圧、負荷電流、素子電圧、およびトリガー信号の状態を示すタイムチャート。
【図６】実施形態の調光装置について、負荷電流と素子電圧との関係を示す模式図。
【図７】実施形態の調光装置について、素子温度と検出素子温度との関係を示すグラフ。
【図８】実施形態の調光装置について、位相角、負荷電流、および素子温度の関係を示すマップ。
【図９】実施形態の調光装置について、ファン駆動制御の処理手順を示すフローチャート。
【発明を実施するための形態】
【００１２】
図１を参照して、照明装置１の構成について説明する。
照明装置１は、スタジオおよび劇場等の演出空間の照明を制御する。照明装置１は、調光操作器１０、調光装置２０、および照明負荷４０を有する。なお、照明負荷４０は「負荷」に相当する。
【００１３】
調光操作器１０は、照明負荷４０を制御するための複数の入力部（図示略）を有する。調光操作器１０は、入力部により照明負荷４０を制御するための調光制御信号をＤＭＸ信号として調光装置２０に送信する。
【００１４】
なお、ＤＭＸ信号は、米国劇場技術協会（ＵＳＩＴＴ）により規格化された演出分野等に用いられるデジタル信号である。本実施形態の調光操作器１０は、調光制御信号として調光制御用の調光信号の規格であるＤＭＸ５１２が用いられる。ＤＭＸ５１２は、最大で５１２個のチャンネル（伝送路）によりデータを送信可能であり、１チャンネル毎に２５６段階の調光レベルのデータが付与される信号である。
【００１５】
調光装置２０は、照明負荷４０の調光を制御する。調光装置２０は、１個の制御部２１、１個のファン制御部２２、１個の記憶部２３、１個の空冷ファン２４、および複数の調光器３０を有する。なお、ファン制御部２２および記憶部２３は、１個のマイクロコンピューターにより構成されている。
【００１６】
制御部２１は、調光制御信号を受信する。そして、制御部２１は、調光制御信号に基づいて、各調光器３０の調光を制御するためのトリガー信号を各調光器３０に送信する。
記憶部２３は、ファン制御部２２に接続される。記憶部２３は、照明負荷４０に供給される電流（以下、「負荷電流」）の大きさと、トランジスタ３２の温度（以下、「素子温度ＣＴ」）との関係を示すマップＭＰ（図８参照）を記憶する。また記憶部２３は、ファン制御部２２が実行するプログラムを記憶する。
【００１７】
ファン制御部２２は、マップＭＰおよび記憶部２３のプログラムに基づいて空冷ファン２４の駆動を制御する。
空冷ファン２４は、調光装置２０内において、空冷ファン２４および各調光器３０を互いに連通する送風路（図示略）を介して各調光器３０に向けて送風する。
【００１８】
図２〜４を参照して、各調光器３０の詳細な構成について説明する。
図２に示されるように、各調光器３０は、１個の照明負荷４０が接続される。各調光器３０は、トリガー信号に基づいて、照明負荷４０の調光を変更する。図２に示されるように、各調光器３０は、位相制御回路３１、１個の変流器３４、１個の電流計３５、１個のサーミスタ３６、放熱フィン３７（図４参照）、および回路基板３８（図４参照）を有する。なお、変流器３４および電流計３５は「電流検出部」に相当する。また、サーミスタ３６は「温度検出部」に相当する。
【００１９】
図３に示されるように、位相制御回路３１は、２個のトランジスタ３２および２個のダイオード３３を有する。トランジスタ３２およびダイオード３３は、回路基板３８に実装される。トランジスタ３２は、互いに直列に接続され、かつ交流電源２と直列に接続される。ダイオード３３は、互いに逆方向かつ直列に接続され、かつトランジスタ３２と並列に接続される。位相制御回路３１は、トリガー信号に基づいて位相制御回路３１から出力される交流電源２の交流電流の大きさを変更することにより、負荷電流の大きさを変更する。なお、トランジスタ３２は「半導体素子」に相当する。
【００２０】
変流器３４は、位相制御回路３１および照明負荷４０の間に位置される。変流器３４は、電流計３５に接続される。変流器３４は、鉄心と、鉄心に導電線が巻き付けられることにより形成されるコイル（ともに図示略）とを有する。変流器３４は、コイルの巻数比により電流計３５に供給する電流を小さくする。
【００２１】
電流計３５は、電流計３５に供給される電流に応じた電流信号を生成する。そして、電流計３５は、電流信号をファン制御部２２に出力する。ファン制御部２２は、電流計３５の電流信号に基づいて、負荷電流を示す演算値（以下、「負荷電流ＬＣ」）を算出する。
【００２２】
図４に示されるように、放熱フィン３７は、各トランジスタ３２に接触する。放熱フィン３７は、中央部分においてサーミスタ３６を収容する収容部分３７Ａを有する。空冷ファン２４は、各調光器３０の放熱フィン３７に向けて送風する。
【００２３】
サーミスタ３６は、収容部分３７Ａの底面に取り付けられる。サーミスタ３６は、サーミスタ３６の温度に応じた温度信号を生成する。そして、サーミスタ３６は、温度信号をファン制御部２２に出力する。ファン制御部２２は、温度信号に基づいて、トランジスタ３２の周囲の温度を示す演算値（以下、「検出素子温度ＳＴ」）を算出する。
【００２４】
図３および図５を参照して、調光装置２０の位相制御について説明する。なお、図５（ａ）の電源電圧は、交流電源２から出力される交流電力の電圧を示す。また、図５（ｃ）の素子電圧は、２個のトランジスタ３２の両端の電圧、すなわち図３の地点Ｘ１と地点Ｘ２との間の電圧を示す。
【００２５】
制御部２１は、トリガー信号を次のようなタイミングで位相制御回路３１に送信する。すなわち、図５（ｄ）に示されるように、電源電圧がゼロクロスとなる時刻ｔ１，ｔ３，ｔ５においてトリガー信号をローレベルからハイレベルに変更する。そして、電源電圧が所定位相となる時刻ｔ２，ｔ４，ｔ６においてトリガー信号をハイレベルからローレベルに変更する。このため、図５（ｂ）に示されるように、時刻ｔ１から時刻ｔ２までの期間ＴＭ１、時刻ｔ３から時刻ｔ４までの期間ＴＭ２、および時刻ｔ５から時刻ｔ６までの期間ＴＭ３において、負荷電流が照明負荷４０に供給される。すなわち、期間ＴＭ１，ＴＭ２，ＴＭ３において、トランジスタ３２に交流電流が供給される。一方、時刻ｔ２から時刻ｔ３までの期間ＴＬ１および時刻ｔ４から時刻ｔ５までの期間ＴＬ２において、負荷電流が照明負荷４０に供給されない。すなわち、期間ＴＬ１，ＴＬ２において、トランジスタ３２に交流電流が供給されない。このため、図５（ｃ）に示されるように、素子電圧が電源電圧と同様に生じる。
【００２６】
制御部２１は、トリガー信号をハイレベルからローレベルに切り替える時刻を変更することにより期間ＴＭ１，ＴＭ２，ＴＭ３の大きさを変更する。これにより、照明負荷４０の調光が変更される。すなわち、期間ＴＭ１，ＴＭ２，ＴＭ３が大きくなるにつれて、負荷電流が大きくなるため、照明負荷４０が明るくなる。なお、制御部２１は、２個のトランジスタ３２に同時に交流電流が供給されることを回避するため、期間ＴＭ１，ＴＭ２，ＴＭ３を電源電圧の位相幅が１８０°の範囲内で変更する。
【００２７】
図６〜図８を参照して、調光装置２０の作用について説明する。なお、以下の説明において、符号が付された調光装置２０に関する各構成要素は、図２および図４に記載された各構成要素を示す。また、図７のグラフにおいて、曲線Ｌ１は、時間の経過にともなう素子温度ＣＴの遷移状態を示す。曲線Ｌ２は、時間の経過にともなう検出素子温度ＳＴの遷移状態を示す。
【００２８】
トランジスタ３２は、期間ＴＭ１，ＴＭ２，ＴＭ３において、交流電流が供給されるとき、素子電圧は、０Ｖよりも僅かに大きい（例えば、０．１Ｖ）。このため、トランジスタ３２は、期間ＴＭ１，ＴＭ２，ＴＭ３において発熱する。
【００２９】
また、図６に示されるように、負荷電流は、時刻ｔ２においてトリガー信号がオン状態からオフ状態に切り替えられること（図５（ｄ）参照）に基づいて、「０」に変更する。しかし、負荷電流は、時刻ｔ２から「０」に向けて変更し、時刻ｔ２１において「０」となる。また、素子電圧は、時刻ｔ２から同時刻に対応する電源電圧（図５（ａ）参照）に向けて変更し、時刻ｔ２１において電源電圧と一致する。このため、時刻ｔ２から時刻ｔ２１までの期間において、トランジスタ３２は、交流電流および交流電圧がともに加えられる。このため、トランジスタ３２は、交流電流および交流電圧の積により算出される熱量がさらに加えられる。このようなトリガー信号がオン状態からオフ状態に変更することにより生じるトランジスタ３２の熱量は、交流電圧の１周期において位相が９０°および２７０°のときに最大となる。
【００３０】
トランジスタ３２の熱は、放熱フィン３７を介してサーミスタ３６に移動する。ここで、図７に示されるように、トランジスタ３２は、トランジスタ３２への電力の供給を開始した時刻ｔ１０から急激に素子温度ＣＴが上昇する。そして、時刻ｔ１１において、素子温度ＣＴの温度上昇が緩やかとなる。一方、トランジスタ３２から放熱フィン３７への熱の移動は略一定であるため、時刻ｔ１０から時刻ｔ１１にかけて検出素子温度ＳＴは緩やかに上昇する。このため、時刻ｔ１１において、素子温度ＣＴは、検出素子温度ＳＴよりも所定温度ＴＷ分だけ高くなる。そして、時刻ｔ１２において、素子温度ＣＴは、一定となる。なお、時刻ｔ１１から時刻ｔ１２までの期間において、素子温度ＣＴは、検出素子温度ＳＴよりも所定温度ＴＷ分だけ高くなる。検出素子温度ＳＴの上昇度合は一定であるため、時刻ｔ１２から時間の経過とともに素子温度ＣＴと検出素子温度ＳＴとの差が小さくなる。そして、時刻ｔ１３において、素子温度ＣＴと検出素子温度ＳＴが同じとなる。すなわち、トランジスタ３２および放熱フィン３７が熱飽和する。このため、素子温度ＣＴと検出素子温度ＳＴとが同じとなる。このように、ファン制御部２２は、時刻ｔ１１から時刻ｔ１３までの期間において素子温度ＣＴおよび検出素子温度ＳＴに差異が生じる。
【００３１】
一方、図８に示されるように、ファン制御部２２は、記憶部２３のマップＭＰに基づいて素子温度ＣＴを算出する（以下、「算出素子温度ＣＴ１」）。具体的には、ファン制御部２２は、負荷電流ＬＣおよび位相角ＰＡに基づいて算出素子温度ＣＴ１を算出する。なお、マップＭＰにおいては、負荷電流ＬＣ１，ＬＣ２，ＬＣ３，ＬＣ４，ＬＣ５の順に負荷電流ＬＣが大きくなる。
【００３２】
ここで、マップＭＰは、トランジスタ３２および放熱フィン３７の取り付け状態が正常であることを条件としている。このため、トランジスタ３２および放熱フィン３７の取り付け状態が異常の場合、トランジスタ３２が冷却されずに温度上昇する場合がある。このとき、素子温度ＣＴが算出素子温度ＣＴ１よりも高くなる。また、周囲の回路素子（図示略）の熱がトランジスタ３２に移動することにより、素子温度ＣＴが算出素子温度ＣＴ１よりも高くなる場合がある。このように、素子温度ＣＴが高いにもかかわらず、空冷ファン２４によるトランジスタ３２の冷却が行われない場合がある。
【００３３】
そこで、ファン制御部２２は、算出素子温度ＣＴ１および検出素子温度ＳＴの比較に基づいて、空冷ファン２４の駆動を制御するファン駆動制御を実行する。具体的には、ファン制御部２２は、ファン駆動制御において、算出素子温度ＣＴ１および検出素子温度ＳＴを比較し、より適切な温度と判断された温度（以下、「代表温度ＲＴ」）を用いて、空冷ファン２４の駆動を制御する。ファン制御部２２は、代表温度ＲＴが予め設定された第１閾値ＴＹよりも高いとき、空冷ファン２４を駆動させる。一方、ファン制御部２２は、代表温度ＲＴが予め設定された第２閾値ＴＺ（ＴＺ＜ＴＹ）よりも低いとき、空冷ファン２４を停止させる。これにより、トランジスタ３２を速やかに冷却することが可能となる。
【００３４】
なお、第１閾値ＴＹは、トランジスタ３２の熱損失が許容可能な素子温度ＣＴの最大値であり、試験等により予め設定される。本実施形態においては、第１閾値ＴＹとして、６０℃を用いる。また、第２閾値ＴＺは、トランジスタ３２の熱損失が十分に小さいと判定される素子温度ＣＴの最大値であり、試験等により予め設定される。本実施形態においては、第２閾値ＴＺとして、３０℃を用いる。
【００３５】
図９を参照して、ファン制御部２２が実行するファン駆動制御の処理手順について説明する。なお、本制御処理は、所定時間毎に繰り返し実行される。また、図９を参照する以下の説明において、符号が付された調光装置２０に関する各構成要素は、図２に記載された各構成要素を示す。
【００３６】
ファン制御部２２は、ファン駆動制御において、素子温度ＣＴの代表温度ＲＴを設定する代表温度設定処理（ステップＳ１１〜Ｓ１５）と、代表温度ＲＴを用いて空冷ファン２４の駆動を制御する駆動判定処理（ステップＳ１６〜Ｓ２１）とを有する。
【００３７】
代表温度設定処理について説明する。
ファン制御部２２は、ステップＳ１１において、全ての調光器３０の算出素子温度ＣＴ１のうちの最大値（以下、「最大算出素子温度ＣＴ１ｍａｘ」）を取得する。詳細には、ファン制御部２２は、各調光器３０における負荷電流ＬＣおよび位相角ＰＡを取得する。そして、ファン制御部２２は、図８に示されるマップＭＰを用いて、負荷電流ＬＣおよび位相角ＰＡから各調光器３０の算出素子温度ＣＴ１を算出する。そして、ファン制御部２２は、全ての算出素子温度ＣＴ１のうちの最大値を最大算出素子温度ＣＴ１ｍａｘとして取得する。
【００３８】
ファン制御部２２は、ステップＳ１２において、全ての調光器３０の検出素子温度ＳＴのうちの最大値（以下、「最大検出素子温度ＳＴｍａｘ」）を取得する。詳細には、ファン制御部２２は、各調光器３０におけるサーミスタ３６の温度信号に基づいて検出素子温度ＳＴを算出する。そして、ファン制御部２２は、全ての検出素子温度ＳＴのうちの最大値を最大検出素子温度ＳＴｍａｘとして取得する。
【００３９】
ファン制御部２２は、ステップＳ１３において、最大算出素子温度ＣＴ１ｍａｘから所定値ＴＸを差し引いた温度が最大検出素子温度ＳＴｍａｘよりも大きいか否かを判定する。なお、所定値ＴＸは、図７における所定温度ＴＷに相当する。
【００４０】
ファン制御部２２は、ステップＳ１３が肯定判定のとき、全ての素子温度ＣＴのうちの最大値（以下、「最大素子温度ＣＴｍａｘ」）が最大検出素子温度ＳＴｍａｘよりも最大算出素子温度ＣＴ１ｍａｘに近いと判断する。そして、ファン制御部２２は、ステップＳ１４において代表温度ＲＴを最大算出素子温度ＣＴ１ｍａｘに設定する。
【００４１】
一方、ファン制御部２２は、ステップＳ１３において否定判定のとき、最大素子温度ＣＴｍａｘが最大算出素子温度ＣＴ１ｍａｘよりも最大検出素子温度ＳＴｍａｘに近いと判断する。そして、ファン制御部２２は、ステップＳ１５において代表温度ＲＴを最大検出素子温度ＳＴｍａｘに設定する。
【００４２】
駆動判定処理について説明する。
ファン制御部２２は、以下の判定に基づいて空冷ファン２４の駆動を制御する。
（Ａ）代表温度ＲＴが第１閾値ＴＹよりも高いか否か（ステップＳ１６）。
（Ｂ）代表温度ＲＴが第２閾値ＴＺよりも低いか否か（ステップＳ１８）。
（Ｃ）空冷ファン２４が駆動中か否か（ステップＳ１７，Ｓ１９）。
【００４３】
ファン制御部２２は、ステップＳ１６において肯定判定、かつステップＳ１７において否定判定のとき、ステップＳ２０において空冷ファン２４の駆動を開始する。一方、ファン制御部２２は、ステップＳ１６において肯定判定、かつステップＳ１７において肯定判定のとき、空冷ファン２４の駆動を維持する必要があると判断する。このため、ファン制御部２２は、ステップＳ１７において肯定判定のとき、一旦処理を終了する。
【００４４】
ファン制御部２２は、ステップＳ１６において否定判定、かつステップＳ１８において肯定判定、かつステップＳ１９において肯定判定のとき、ステップＳ２１において空冷ファン２４の駆動を停止する。一方、ファン制御部２２は、ステップＳ１６において否定判定、かつステップＳ１８において肯定判定、かつステップＳ１９において否定判定のとき、空冷ファン２４の駆動停止を維持する必要があると判断する。このため、ファン制御部２２は、ステップＳ１９において否定判定のとき、一旦処理を終了する。
【００４５】
本実施形態の調光装置２０は、以下の効果を奏する。
（１）調光装置２０は、算出素子温度ＣＴ１に基づいて空冷ファン２４の駆動を制御する。この構成によれば、算出素子温度ＣＴ１が検出素子温度ＳＴよりも高い場合、検出素子温度ＳＴに基づいて空冷ファン２４を駆動する構成よりも速やかに空冷ファン２４を駆動することができる。このため、調光装置２０は、トランジスタ３２を速やかに冷却することができる。
【００４６】
（２）ファン制御部２２は、算出素子温度ＣＴ１および検出素子温度ＳＴの比較に基づいて空冷ファンの駆動を制御する。この構成によれば、トランジスタ３２の温度として算出素子温度ＣＴ１および検出素子温度ＳＴのうちのより適切な温度に基づいて、空冷ファン２４を駆動する。このため、検出素子温度ＳＴが算出素子温度ＣＴ１よりも高い場合、検出素子温度ＳＴに基づいて空冷ファン２４を駆動する。したがって、トランジスタ３２をより速やかに冷却することができる。
【００４７】
（３）ファン駆動制御において、空冷ファン２４を駆動するための第１閾値ＴＹおよび空冷ファン２４の駆動を停止するための第２閾値ＴＺは、互いに異なる。この構成によれば、第１閾値ＴＹおよび第２閾値ＴＺが同じ値であると仮定した構成と比較して、空冷ファン２４の駆動開始および駆動停止を繰り返す頻度が低くなる。
【００４８】
本発明は、上記実施形態とは別の実施形態を含む。以下、本発明のその他の実施形態としての上記実施形態の変形例を示す。なお、以下の各変形例は、互いに組み合わせることもできる。
【００４９】
・実施形態の調光装置２０は、１個の空冷ファン２４を有する。一方、変形例の調光装置２０は、調光器３０と同数の空冷ファン２４を有する。変形例の各空冷ファン２４は、対応する各調光器３０に向けて送風する。変形例の調光装置２０においては、ファン制御部２２は、各調光器３０に対してファン駆動制御を行う。ファン制御部２２は、ファン駆動制御の代表温度設定処理において、最大算出素子温度ＣＴ１ｍａｘおよび最大検出素子温度ＳＴｍａｘに代えて、各調光器３０の算出素子温度ＣＴ１および検出素子温度ＳＴを用いて代表温度ＲＴを設定する。
【００５０】
・実施形態の調光装置２０は、１個の調光器３０に対して１個の照明負荷４０が接続される。一方、変形例の調光装置２０は、１個の調光器３０に対して複数個の照明負荷４０が接続される。
【００５１】
・実施形態の調光装置２０は、電流検出部として、変流器３４および電流計３５を有する。一方、変形例の調光装置２０は、電流検出部として、電流計３５を有する。電流計３５は、位相制御回路３１および照明負荷４０の間に位置する。
【００５２】
・実施形態の調光装置２０は、サーミスタ３６が放熱フィン３７の収容部分３７Ａの底面に取り付けられる構成を有する。一方、変形例の調光装置２０は、サーミスタ３６が放熱フィン３７のフィン側面に取り付けられる構成を有する。要するに、サーミスタ３６が放熱フィン３７に取り付けられていれば、その位置は限定されない。
【００５３】
・実施形態の調光装置２０は、放熱フィン３７を有する。一方、変形例の調光装置２０は、放熱フィン３７を有していない。変形例の調光装置２０においては、サーミスタ３６が回路基板３８に実装される。また、変形例の調光装置２０においては、空冷ファン２４がトランジスタ３２に向けて送風する。
【００５４】
・実施形態の調光装置２０は、ファン制御部２２および記憶部２３が１個のマイクロコンピューターにより構成される。一方、変形例の調光装置２０は、ファン制御部２２および記憶部２３が個別に構成される。変形例のファン制御部２２は、マイクロコンピューターにより構成される。変形例の記憶部２３は、不揮発性メモリーにより構成される。
【００５５】
・実施形態のファン制御部２２は、ファン駆動制御のステップＳ１３において、所定値ＴＸを所定温度ＴＷに相当する値として設定する。一方、変形例のファン制御部２２は、所定値ＴＸを所定温度ＴＷとは異なる値として設定する。
【００５６】
・実施形態のファン制御部２２は、ファン駆動制御のステップＳ１３において、最大算出素子温度ＣＴ１ｍａｘから所定値ＴＸを差し引いた温度が最大検出素子温度ＳＴｍａｘよりも大きいか否かを判定する。一方、変形例のファン制御部２２は、ファン駆動制御のステップＳ１３において、最大算出素子温度ＣＴ１ｍａｘから所定値ＴＸを差し引いた温度が最大検出素子温度ＳＴｍａｘ以上か否かを判定する。
【００５７】
また、別の変形例のファン制御部２２は、ファン駆動制御のステップＳ１３において、最大算出素子温度ＣＴ１ｍａｘと最大検出素子温度ＳＴｍａｘとを比較する。この場合、別の変形例のファン制御部２２は、最大算出素子温度ＣＴ１ｍａｘおよび最大検出素子温度ＳＴｍａｘのうちの高い方を代表温度ＲＴとして設定する。
【００５８】
・実施形態のファン制御部２２は、ファン駆動制御のステップＳ１６において、代表温度ＲＴが第１閾値ＴＹよりも高いか否かを判定する。一方、変形例のファン制御部２２は、ファン駆動制御のステップＳ１６において、代表温度ＲＴが第１閾値ＴＹ以上か否かを判定する。
【００５９】
・実施形態のファン制御部２２は、ファン駆動制御のステップＳ１８において、代表温度ＲＴが第２閾値ＴＺよりも低いか否かを判定する。一方、変形例のファン制御部２２は、ファン駆動制御のステップＳ１６において、代表温度ＲＴが第２閾値ＴＺ以下か否かを判定する。
【００６０】
・実施形態のファン制御部２２は、ファン駆動制御として、代表温度設定処理および駆動判定処理を有する。一方、変形例のファン制御部２２は、ファン駆動制御として、代表温度設定処理の前に初動時判定処理を追加する。初動時判定処理は、以下の条件の全てを満たすとき、肯定判定とし、以下の条件の少なくとも１つを満たさないとき、否定判定とする。
（Ａ）調光装置２０の主電源（図示略）がオフ状態からオン状態に切り替えられること。（Ｂ）調光器３０に交流電力が供給された時刻ｔ１０から算出素子温度ＣＴ１に検出素子温度ＳＴが達する時刻ｔ１３（図７参照）までの期間（所定期間）内であること。
【００６１】
変形例のファン制御部２２は、初動時判定処理の判定が肯定判定のとき、代表温度設定処理に移行する。一方、変形例のファン制御部２２は、初動時判定処理の判定が否定判定のとき、最大検出素子温度ＳＴｍａｘを代表温度ＲＴに設定する。そして、変形例のファン制御部２２は、駆動判定処理に移行する。
【００６２】
・上記変形例のファン制御部２２は、所定期間として調光器３０に交流電力が供給された時刻ｔ１０から算出素子温度ＣＴ１および検出素子温度ＳＴが達する時刻ｔ１３までの期間に設定している。一方、別の変形例のファン制御部２２は、所定期間として調光器３０に交流電力が供給された時刻ｔ１０から素子温度ＣＴが一定となる時刻ｔ１１（図７参照）までの期間に設定する。
【００６３】
・また、さらに別の変形例のファン制御部２２は、ファン駆動制御から代表温度設定処理を省略する。さらに別の変形例のファン制御部２２は、駆動判定処理において、代表温度ＲＴとして最大算出素子温度ＣＴ１ｍａｘを用いる。
【符号の説明】
【００６４】
２…交流電源、２０…調光装置、２２…ファン制御部、２３…記憶部、２４…空冷ファン、３１…位相制御回路、３２…トランジスタ（半導体素子）、３４…変流器（電流検出部）、３５…電流計（電流検出部）、３６…サーミスタ（温度検出部）、３７…放熱フィン、４０…照明負荷（負荷）、ＳＴ…検出素子温度、ＣＴ１…算出素子温度、ＴＹ…第１閾値、ＴＺ…第２閾値。
【図１】
2013243082.tif 000003
【図２】
2013243082.tif 000004
【図３】
2013243082.tif 000005
【図４】
2013243082.tif 000006
【図５】
2013243082.tif 000007
【図６】
2013243082.tif 000008
【図７】
2013243082.tif 000009
【図８】
2013243082.tif 000010
【図９】
2013243082.tif 000011